(57)【要約】      （修正有）【課題】給水取出し施工における配管テスト用治具において、水圧テスト用ポンプへの取付け及び取外しが簡単迅速に行えると共に、サイズの異なるバルブの接続口径の相違に一つの部品を基本に使って部品点数を少なくし、且つ破損の原因をなくす治具を提供する。【解決手段】水道の配水管から分岐して配設した給水管の水道メータまでの途中において、その給水管に一端を結合し、何も結合していない他端にストレート雌ネジを設けた水道給水止水栓と、当該水道給水止水栓のストレート雌ネジに螺合するストレート雄ネジ101とテーパー雌ネジ102を有するブッシング10と、そのブッシングのテーパー雌ネジ102に螺合するテーパー雄ネジを有するカプラープラグ11と、水圧テストポンプ8に２ｍ程度の長さに設定した耐圧ホースの先端に給水管側のカプラープラグ11をワンタッチ接続するソケット13を設けた構成。【選択図】図２
2018066165.tif 000002
【特許請求の範囲】
【請求項１】
水道の配水管（１）から分岐して配設した給水管（２）の水道メータ（６）までの途中において、その給水管（２）に一端を結合し、何も結合していない他端にストレート雌ネジ（５2）を設けた水道給水止水栓（５）と、当該水道給水止水栓（５）のストレート雌ネジ（５2）に螺合するストレート雄ネジ（１０1）とテーパー雌ネジ（１０2）を有するブッシング（１０）と、そのブッシングのテーパー雌ネジ（１０2）に螺合するテーパー雄ネジ（１１1）を有するカプラープラグ（１１）と、水圧テストポンプ（８）に２ｍ程度の長さに設定した耐圧ホースの先端に給水管側のカプラープラグ（１１）をワンタッチ接続するソケット（１３）を設けたことを特徴とする給水取出し施工における配管テスト用治具。
【請求項２】
ストレート雄ネジ（１０1）と、テーパー雌ネジ（１０2）を有する六角形頭部のブッシング（１０）と、そのブッシング（１０）のテーパー雌ネジ（１０2）に、基部にテーパー雄ネジ（１１1）と先細筒形挿入部（１１2）からなるカプラープラグ（１１）を螺合することを特徴する請求項1記載の給水取出し施工における配管テスト用治具。
【発明の詳細な説明】
【技術分野】
【０００１】
本発明は、給水取出し施工における配管テスト用治具に関するもので、水圧テスト用ポンプへの取付け及び取外しがワンタッチで簡単迅速に行えると共に、サイズの異なるバルブの接続口径の相違に一つの部品を基本に使って部品点数を極力少なくして適用でき、且つ用済み後はコンパクトに収納できて破損の原因をなくすことを目的とする。
【０００２】
そして、水道給水取出し施工業務時に実施されている耐圧テストを行なう場合に市販されているテストポンプとの接続にあたり、ネジの種類及びサイズ等の複雑な相違点を一元化して作業性の向上性且つ耐圧テストにおいての高い正確性を提供する。
【背景技術】
【０００３】
一般に、この種の配水管から分岐した給水管の水圧をテストするために、市販の水圧テスト用ポンプが用いられている。
【０００４】
上記の水圧テスト用ポンプは、水道工事や水道の設置などをしたときに耐圧が十分か、漏れがないかを計測するための装置である。住宅においては、それぞれ水道が設置されるが、そのほとんどは市区町村の自治体からの水道管から受けることになり、そのために工事をして設置をする。設置をしたらそれが正しく使えるか、問題なく施工されているかをチェックする必要があり、そのためにこのテストポンプを使用する。水においては水圧が重要で、それによって家庭内への水の供給力が変わるので、問題ないかをチェックする。そして異常な状態になっていれば施工の段階で漏れが発生している可能性が出てくるので、それを確認する。漏れを発生した後は、修正をした後などにさらにチェックをして確かめることが行われる。
【０００５】
従来、水道給水取出し施工時等における耐圧テストを行なう場合に使用されているテストポンプの多くは耐圧ホースの長さは１ｍであり、現場状況によっては耐圧テストの対象物（被テスト管）に届かない場合もあるのが現実である。
【０００６】
また、その耐圧ホースに取付けられている接続用のネジは、ストレート（以下、「ＰＦ」という。）である。ＰＦを使用する場合の利点は、シールテープを使用しなくても取付け取外しが出来るという利点である。
【０００７】
しかし、昨今においての水道給水取出し施工業務時の耐圧テストは、その対象となる物が作業時に都度発生をするために、耐圧ホース及び取付金具等の取外しの煩わしさを解決する必要性があった。
【０００８】
そこで、テストポンプの耐圧ホースの長さを約２ｍにして耐圧テストの対象物に届くようにすると共に取付け取外しをワンタッチカプラー式にする。さらに、対象物である水道給水止水栓（以下、「Ａバルブ」という。）からの耐圧テスト時に
上水ネジ（協会ネジ）及び都ネジ（金門ネジともいう）への接続をカプラー接続するめの治具と止水栓（以下、「Ｂバルブ」という。）ＨＩＶＰ用への接続及びサドル付分水栓（上水ネジ）用への接続治貝を開発することにある。
【先行技術文献】
【特許文献】
【０００９】
【特許文献１】特開２００９−１１５５７０号公開公報
【００１０】
上記の特許文献１は、この分野における一般的な水圧テスト用ポンプであり、耐圧ホースの先端を給水管に一端を接続して配管テストをする構造になっている。
【発明の概要】
【発明が解決しようとする課題】
【００１１】
ところが、従来の接続方法は、上記特許文献１の水圧テスト用ポンプに付属されている耐圧ホースのストレートネジ部１/４（にぶ）をテーパーネジ１/２（よんぶ）のテスト用メータブッシングのネジへ水道施工業者は、それぞれ部材を調達して接続しているのが実情である。
【００１２】
また、上記のように特許文献１の水圧耐圧ホース7の先端に設けられているストレートネジが数多く出まわっている中でストレートネジ部とテーバーネジ部を接続するための部材は特殊であり、調達することが難しいため、ストレートネジとテーバーネジを接続配管してしまうという矛盾が発生しがちであった。
【００１３】
そこで、本発明は、テストポンプの耐圧ホースの取付け及び取外しが迅速容易に行えるワンタッチカプラー式にすると共に、当該耐圧ホースを従来の約２ｍの長さに設定することによって、耐圧テストの対象物（被テスト管）に容易に届くようにすることを目的とする。
【課題を解決するための手段】
【００１４】
本発明は、従来の課題を解決し、且つ発明の目的を達成するために提供するものである。
本発明の第１は、給水取出し施工における配管テスト用治具において、水道の配水管から分岐して配設した給水管の水道メータまでの途中において、その給水管に一端を結合し、何も結合していない他端にストレート雌ネジを設けた水道給水止水栓と、当該水道給水止水栓のストレート雌ネジに螺合するストレート雄ネジとテーパー雌ネジを有するブッシングと、そのブッシングのテーパー雌ネジに螺合するテーパー雄ネジを有したカプラープラグと、水圧テストポンプに２ｍ程度の長さに設定した耐圧ホースの先端に給水管側のカプラープラグをワンタッチ接続するソケットを設けたものである。
【００１５】
本発明の第２は、第１の発明に係る給水取出し施工における配管テスト用治具において、ストレート雄ネジと、テーパー雌ネジを有する六角形頭部のブッシングと、そのブッシングのテーパー雌ネジに、基部にテーパー雄ネジと先細筒形挿入部からなるカプラープラグを螺合するようにしたものである。
【発明の効果】
【００１６】
本発明は上記の構成であるから、次のような効果がある。
給水取出し施工における配管テスト用治具において、次のような効果がある。
第１に、ポンプへの取付け及び取外しがワンタッチ操作で耐密的に接続することができる。
第２に、用済み後は、コンパクトに収納できて破損の原因をなくすことができる。
第３に、耐圧ホースが従来に比べて２倍程度の長さにしたことにより、平地より高い丘でのポンプを使用するこが可能である。
第４に、ホース取付金具は、テーパーネジでカプラーとのネジの相性が抜群に良好である。
第５に、給水仕切弁側接続用ネジが上水ネジ（協会ネジともいう。）又は都ネジ（金門ネジともいう。）と呼ばれる規格のネジへ面倒で複数の部材を用いなくてもワンタッチ接続が可能になり、且つ全体がスリム化し、接続効果がより良好であると共に、その接続状態の外観もスマートである。
【図面の簡単な説明】
【００１７】
【図１】配水管から分岐して水道メータまでの給水管の系統を示す概略正面図である。
【図２】図１の水道給水止水栓のカプラーと水圧テスト用ポンプと耐圧ホースの分解正面図である。
【図３】カプラーとなるブッシングとプラグの分解正面図である。
【図４】図１の水道給水止水栓の組立図である。
【図５】図１の止水弁の拡大正面図である。
【図６】サドル付きの分水栓の正面図である。
【発明を実施するための形態】
【００１８】
次に、本発明の実施形態を説明すると、地下埋設水道配水管の所定個所にサドル付きの分水栓を詮置し、その分水栓から家屋の蛇口にまでには至らない水道メータまで接続し、その給水管の途中に止水栓、水道給水止水栓、水道メータ等を取り付けて完成状態になる。
【００１９】
本発明は、上記の完成前の敷設工事において、水道給水止水栓の反対側（水道メータ側）のストレート雌ネジにストレート雄ネジとテーパー雌ネジを有するブッシングを、当該雄ネジを介して取り付け、このブッシングのプラグを水圧テスト用ポンプの耐圧ホース先端のソケットにワンタッチ接続して当該水道給水止水栓と家屋における蛇口に至る前の水道給水止水栓の耐圧や水漏れのテストを行う。
【００２０】
次に、本発明の実施例を図面に即して説明する。図１において、１は水道の配水管、２はその配水管から分岐して水道メータ６まで敷設する給水管である。なお、水道メータ６から、家屋の止水栓となる蛇口７までの間の給水管は除かれる。３は配水管１の分岐個所に設けたサドル付き分水栓、４は給水管２の途中に配置接続した止水栓、５は同じく給水管２の途中に配置接続した水道給水止水栓を示す。
【００２１】
図２及び図３において、８は市販の水圧テスト用ポンプであり、当該テストポンプ８の圧力計８1が取付けられている耐圧管８2の先端に耐圧ホース接続用ソケット１３を設けてある。
９は長さが２ｍ程度を可とする耐圧ホースであり、その先端部に設けたストレート雄ネジ１０1とテーパー雌ネジ１０2を有し、先細筒形挿入部１１2からなるテーパー雄ネジ付きカプラー１１は、基部にテーパー雄ネジ１１1を有し、これが六角形頭部のメータブッシング１０のテーパー雌ネジ１０2に螺合する構成になっている。
【００２２】
図４において、一端が給水管２に結合している給水止水栓５の他端のストレート雌ネジの口径５2にストレート雄ネジ１０1を有するメータブッシング１０を螺合する。なお、上記給水止水栓４の口径にメータブッシング１０のストレート雄ネジの外径が異なる場合は、ストレートネジ１０1′とストレート雌ネジ１０2′を有する第２のメータブッシング１０′と第３のメータブッシング１０″を介在して螺合調節するように構成になっている。前記口径には、上水ネジ（協会ネジともいう。）と金門ネジと呼ばれるネジの種類がある。
【００２３】
図５において、一端が給水管２に結合している止水栓４の他端のストレート雄ネジ４1にストレート雌ネジ１４2を有するカプラープラグ付きカップリング１４を螺合する。そのカップリングの平面に図３に示すカプラープラグ１１の基部を螺合する構成になっている。
【００２４】
図６において、給水配管１に設置したサドル付き分水栓３の頭部におけるストレート雄ネジ３1に図６に示すカップリング１４のストレート雌ネジ１４2を螺合する。そして、そのカップリング１４の平面に図３に示すプラグ１１の基部を螺合する構成になっている。
【００２５】
［水圧テスト用ポンプを使ったテスト例１］
上記の図４において、給水止水栓５のストレート雌ネジ５2にテーパー雄ネジ１１1とテーパー雌ネジ１０2を有するプラグ付きブッシング１０を当該雄ネジ１１1を介して取り付け、このブッシングのプラグ１１を水圧テスト用ポンプの耐圧ホース先端のカプラーソケット１３にワンタッチ接続して当該水道給水止水栓５とから止水栓４までの間の給水管２の耐圧や水漏れのテストを行う。
【００２６】
上記のブッシング１０は、その比較的緩やかな角度θからなるテーバー雌ネジ部１０2に螺合する雌ネジ１０′を有するテーパー雄ネジ１１1′を有する第２のブッシング１０′を重ねて水道給水止水栓５のストレート雌ネジ５2に螺合するものを示す。
【００２７】
そして、給水止水栓５のストレート雌ネジ５2の（１３−２０−２５−３０−４０各サイズ）口径が異なる場合があるが、その場合においても当該口径に合わせたものを用いるとしてもテーパー雄ネジ付きカプラープラグ１１は常に1種類のものを適用することができ、使用部品点数の省力化が図れる。
【００２８】
［水圧テスト用ポンプを使ったテスト例２］
図５において、止水栓４のストレート雄ネジ４1にプラグ１１付きカプラーの雌ネジ１４2を蝶合し、カプラープラグ１１を水圧テスト用ポンプ８の耐圧ホース９の先端ソケット１３にワンタッチで差し込み、当該止水栓４から給水管２の配管設置作業における耐圧や水漏れのテストを行う。
【００２９】
上記の場合、止水栓４のストレート雄ネジ４1（上水ネジ：２０−２５−３０−４０−５０の各サイズ）口径が異なる場合があるが、その場合においてもカップリング１４は、当該口径に合わせた異なるものを用いるとしてもテーパー雄ネジ付きカプラープラグ１１は常に1種類のものを適用することができ、使用部品点数の省力化が図れる。
【００３０】
［水圧テスト用ポンプを使ったテスト例３］
また、図６のサドル付き分水栓３の上部のストレート雄ネジ３1にカップリング１４の雌ネジ１４2を被せて螺合し、プラグ１１を水圧テスト用ポンプ８の耐圧ホース９の先のソケット１３にワンタッチで差し込む。この状態でサドル付き分水栓３が配水管１へ正しく設置されているかのテストになるため、サドル分水栓３が給水管２へのバルブは閉じた状態になる。
【００３１】
上記の場合、ストレート雄ネジ３1（上水ネジ：２０−２５−３０−４０−５０の各サイズ）口径が異なる場合があるが、その場合においてもカップリング１４は、当該口径に合わせた異なるものを用いるとしてもテーパー雄ネジ付きカプラープラグ１１は常に1種類のものを適用することができ、使用部品点数の省力化が図れる。
【符号の説明】
【００３２】
１…水道の配水管
２…給水管
３…サドル付き分水栓
４…止水栓
５…水道給水止水栓
６…水道メータ
７…蛇口
８…水圧テスト用ポンプ
９…耐圧ホース
１０…カプラーブッシング
１１…カプラープラグ
１２…（欠番）
１３…テーパー雌ネジ付きカプラーソケット
１４…カプラープラグ付きカップリング
【図１】
2018066165.tif 000003
【図２】
2018066165.tif 000004
【図３】
2018066165.tif 000005
【図４】
2018066165.tif 000006
【図５】
2018066165.tif 000007
【図６】
2018066165.tif 000008